(57)【要約】      （修正有）【課題】タクシー等において後部座席を乗務員が容易に視認することのできる、事業用車輌の車内視認ミラーを提供する。【解決手段】タクシー等の事業用車輌における後部座席１６の窓部１３又はその近傍に設置する車内視認ミラー１１であって、該車内視認ミラー１１は、凸面を有して広角ミラーに形成され、運転席から後部座席１６が広域的に視認可能である。また、車内視認ミラー１１は、フレネルレンズの凸面にアルミ蒸着鍍金を施して鏡面と成したことが望ましい。【選択図】図４
0003157832.tif 000002
【実用新案登録請求の範囲】
【請求項１】
タクシー等の事業用車輌における後部座席の窓部又はその近傍に設置する車内視認ミラーであって、
該車内視認ミラーは、凸面を有して広角ミラーに形成され、運転席から後部座席が広域的に視認可能であること
を特徴とする事業用車輌の車内視認ミラー。
【請求項２】
前記車内視認ミラーは、フレネルレンズの凸面にアルミ蒸着鍍金を施して鏡面と成したこと
を特徴とする請求項１に記載の事業用車輌の車内視認ミラー。
【請求項３】
前記車内視認ミラーの裏面には、前記窓部の外部から視認できる文字、絵又は模様等の広告が表示されていること
を特徴とする請求項１に記載の事業用車輌の車内視認ミラー。
【考案の詳細な説明】
【技術分野】
【０００１】
本考案は、事業用車輌の車内視認ミラーに関するものであり、更に詳しくは、タクシー等における後部座席を乗務員が容易に視認するための、事業用車輌の車内視認ミラーに関するものである。
【背景技術】
【０００２】
従来、この種の後部座席を視認するためのミラーとしては、図６に示す構成のものが知られている。この車内バックミラー１は、乗務員が車輌の後方を視認するためのルームミラー２と、このルームミラー２の上部３に設けたサブミラー４とから構成される（特許文献１参照）。サブミラー４は凸面状に形成され、且つ連結部材５を介して前後左右に傾斜できる構造になっている。
【０００３】
このような構成の車内バックミラー１は、乗務員の目線の位置に対応させてサブミラー４の傾斜角度を調整することによって、後部座席に座る人の手元付近を視認することができる。従って、タクシー強盗等の犯罪を抑止することができるとしている。
【先行技術文献】
【特許文献】
【０００４】
【特許文献１】実用新案登録第３１２３２３９号公報
【考案の概要】
【考案が解決しようとする課題】
【０００５】
この従来例の車内バックミラー１においては、サブミラー４が小形であるために視認範囲が狭いという欠点がある。
【０００６】
また、サブミラー４は、ルームミラー２の上部３に設けられているので、乗務員からは前部座席の背もたれ等が邪魔になって後部座席の下部付近が視認できない。従って、後部座席に置かれた忘れ物は視認できないので、忘れ物の防止効果は低いという欠点を有している。
【０００７】
更に、サブミラー４は、ルームミラー２の上部３に設けられているので、乗務員の前方の視界が妨げられることとなり、安全性に問題点を有している。
【０００８】
従って、従来例における車内バックミラー１においては、後部座席を広範囲に視認できるようにして、犯罪の抑止効果だけでなく忘れ物の防止効果等を期待できるようにすることと、乗務員の前方の視界を妨げないようにすることとに解決しなければならない課題を有している。
【課題を解決するための手段】
【０００９】
前記従来例の課題を解決するための本考案の要旨は、タクシー等の事業用車輌における後部座席の窓部又はその近傍に設置する車内視認ミラーであって、該車内視認ミラーは、凸面を有して広角ミラーに形成され、運転席から後部座席が広域的に視認可能であることである。
【００１０】
また、前記車内視認ミラーは、フレネルレンズの凸面にアルミ蒸着鍍金を施して鏡面と成したこと、；
前記車内視認ミラーの裏面には、前記窓部の外部から視認できる文字、絵又は模様等の広告が表示されていること、；
を含むものである。
【考案の効果】
【００１１】
本考案に係る事業用車輌の車内視認ミラーによれば、運転席から後部座席が広域的に視できるので、次のような種々の優れた効果を奏する。
１）後部座席に置かれた忘れ物を視認できるので、忘れ物の防止効果が高い。従って、乗客の忘れ物を処理する乗務員の負担が減少して収益が向上する。
２）忘れ物をした乗客とタクシー会社の事業所との間の連絡は、煩雑で多くの時間を割かれることが度々あり、それらの事務処理が増すと通常業務に支障が生じる事態となる。更に、場合によっては忘れ物について乗客と険悪な関係に陥ることもあるが、それら種々の問題点が解消される。
３）法令で装着が義務付けられる後部座席のシートベルトの装着状況が確認できる。
４）同様に装着義務がある後部座席のチャイルドシート（引出式チャイルドシート）の装着状況が確認できると共に、乳幼児の様子が確認できる。
５）急病や泥酔等で横になった乗客の容体を確認できる。
６）後部座席での薬物乱用等の違法行為が確認できると共に、それら違法行為の抑止効果がある。
７）後部座席からの乗務員に対する暴力行為やタクシー強盗等を未然に阻止できると共に、そのような違法行為の抑止効果がある。
８）車載防犯ビデオで車内視認ミラーを撮影することによって、後部座席の状況が録画できる。
【００１２】
また、車内視認ミラーは、フレネルレンズの凸面にアルミ蒸着鍍金を施して鏡面と成したことによって、薄く、軽く、割れにくく、窓部への設置が簡単であると共に、安価であり製造コストが低減できるという種々の優れた効果を奏する。
【００１３】
そして、車内視認ミラーの裏面には、前記窓部の外部から視認できる文字、絵又は模様等の広告が表示されていることによって、車外の歩行者等への宣伝、広告効果があると共に、広告による収益が向上するという優れた効果を奏する。
【図面の簡単な説明】
【００１４】
【図１】本考案に係る事業用車輌の車内視認ミラー１１の正面図である。
【図２】本考案に係る事業用車輌の車内視認ミラー１１の正面図である。
【図３】乗務員１４が運転席１５から車内視認ミラー１１を介して後部座席１６を視認する状態を示す説明図である。
【図４】窓部１３に設置された車内視認ミラー１１の正面図である。
【図５】車内視認ミラー１１の裏面１７に表示した広告１８が視認できる窓部１３を、外部から見た正面図である。
【図６】従来例に係る車内バックミラー１の正面図である。
【考案を実施するための形態】
【００１５】
次に、本発明の実施の形態について図面を参照しながら説明する。まず、図１から図４において、符号１１は事業用車輌の車内視認ミラー示し、この車内視認ミラー１１は、主にタクシー等の事業用車輌における助手席１２側後方の後部座席の窓部１３又はその近傍に設置される。
【００１６】
車内視認ミラー１１は、凸面を有して広角ミラーに形成され、図３及び図４に示すように、乗務員１４が運転席１５から後部座席１６を広域的に視認することができる。なお、車内視認ミラー１１の形状は、必ずしも円形に限定されることはなく、例えば図２に示すような長方形、あるいは種々の形状であってもよいことは勿論である。
【００１７】
このように、乗務員１４が運転席１５から後部座席１６を広域的に視認できることによって、次のような種々な効果がある。即ち、
１）後部座席に置かれた忘れ物を視認できるので、忘れ物の防止効果が高い。従って、乗客の忘れ物を処理する乗務員の負担が減少してその分収益が向上する、
２）忘れ物をした乗客とタクシー会社の事業所との間の連絡は、煩雑で多くの時間を割かれることが度々あり、それらの事務処理が増すと通常業務に支障が生じる事態となる。更に、場合によっては忘れ物について乗客と険悪な関係に陥ることもあるが、それら種々の問題点が解消される、
３）法令で装着が義務付けられる後部座席のシートベルトの装着状況が確認できる、
４）同様に装着義務がある後部座席の引出式チャイルドシートの装着状況が確認できると共に、乳幼児の様子が確認できる、
５）急病や泥酔等で横になった乗客の容体を確認できる、
６）後部座席での薬物乱用等の違法行為が確認できると共に、それら違法行為の抑止効果がある、
７）後部座席からの乗務員に対する暴力行為やタクシー強盗等を未然に阻止できると共に、そのような違法行為の抑止効果がある、
８）車載防犯ビデオで車内視認ミラーを撮影することで後部座席の状況が録画できる、
である。
【００１８】
次に、車内視認ミラー１１の具体的な構成の一例について説明する。図１に示すように、車内視認ミラー１１は、透明なプラスチックシートの片面に同心円状の溝を刻設したフレネルレンズであって、このフレネルレンズの凸面にアルミ蒸着鍍金を施して鏡面と成した構成である。
【００１９】
このように、車内視認ミラー１１をフレネルレンズで形成したことによって、薄く、軽く、割れにくく、窓部１３への設置が簡単であると共に、安価であり製造コストが低減できることとなる。
【００２０】
更に、車内視認ミラー１１の裏面１７には、図５に示すように、窓部１３の外部から視認できる文字、絵又は模様等の広告１８を表示することができる。このように、車内視認ミラー１１の裏面１７に広告１８を表示することによって、車外の歩行者等への宣伝、広告効果があると共に、広告による収益の向上も期待できることとなる。
【産業上の利用可能性】
【００２１】
本発明の事業用車輌の車内視認ミラー１１は、主にタクシーの車内に設置されるものであるが、タクシーの他には、ハイヤー、マイクロバス、路線バス、又は観光バス等の車内に設置して、乗客や荷物の状況等を確認するために使用することもできる。あるいは、宅配便、軽貨物、現金輸送車、又は引越専用車等の車内に設置して、貨物等の状況を確認するために使用してもよい。
【符号の説明】
【００２２】
１    車内バックミラー
２    ルームミラー
３    上部
４    サブミラー
５    連結部材
１１  事業用車輌の車内視認ミラー
１２  助手席
１３  窓部
１４  乗務員
１５  運転席
１６  後部座席
１７  裏面
１８  広告
【図１】
0003157832.tif 000003
【図２】
0003157832.tif 000004
【図３】
0003157832.tif 000005
【図４】
0003157832.tif 000006
【図５】
0003157832.tif 000007
【図６】
0003157832.tif 000008